(57)【特許請求の範囲】
【請求項１】
枠組足場の交差筋違に横架材を取り付けるための合成樹脂製の取付具であって、交差筋違の斜材に外嵌可能な断面略Ｃ字状に形成されると共にそのＣ字状の開口部の幅が前記斜材の直径より若干小さくなるように形成された取付具本体からなり、この取付具本体がその開口部を下向きにした状態で横架材の棒状本体の側面と平行な平面に沿って回動可能に棒状本体の端部に枢着されるようになっており、取付具本体の外周面には、少なくとも軸方向両端部及びその中間部に環状の補強リブが突設され、且つ取付具本体外周面の軸方向両端部及びその中間部に突設された環状補強リブには、取付具本体の開口部と反対側の位置に断面略円弧状の係合凹部が凹設されてなる枠組足場の横架材用取付具。
【請求項２】
取付具本体の開口部の一側端部には、交差筋違の斜材への取付具本体の嵌め込みを案内するための嵌込案内板部が前記開口部に対し外広がり傾斜状に突設されている請求項１に記載の枠組足場の横架材用取付具。
【請求項３】
枠組足場の交差筋違に横架される横架材であって、棒状本体と、この棒状本体の両端部に取り付けられる横架材用取付具とからなり、棒状本体の少なくとも一端部には請求項１〜２の何れかに記載の横架材用取付具が取り付けられてなる横架材。
【請求項４】
棒状本体とその両端部に取り付けられた横架材用取付具とからなる請求項３に記載の横架材において、該横架材は枠組足場の建枠の縦材を挟んでその左右に隣合う両交差筋違に渡って横架され、その際、上記棒状本体が前記縦材の内側に配置されてなる横架材取付装置。
【発明の詳細な説明】
【０００１】
【発明の属する技術分野】
本発明は、枠組足場の建枠間に張架される交差筋違に手摺り（上桟）や補助手摺り（中桟）としての棒状の横架材を取り付けるための取付具、これを取り付けた横架材、及び横架材取付装置に関するものである。
【０００２】
【従来の技術及びその課題】
建築現場に架設される枠組足場においては、本発明の実施形態を示す図１から分かるように、足場板３の長手方向両サイドに沿った建枠１，１の各縦材４，４間に一対の斜材２ａ，２ａからなるＸ形の交差筋違２が架け渡されているため、この交差筋違２が安全柵となって、足場板３を渡る作業者の安全を図ることができるが、このような交差筋違２だけでは、この交差筋違２と足場板３及び建枠１の縦材４との間に夫々形成される三角形状開口部からの墜落や転落などの危険性が予想されることから、より一層の安全を図るためには交差筋違２に手摺り（上桟）や補助手摺り（中桟）と云った横架材を取り付ける必要がある。
【０００３】
上記のような横架材を交差筋違に取り付けるのに使用されている従来の横架材用取付具は、その構造が複雑でコストが高くつく上に、取付作業に手間がかかると云った問題があった。本発明は、構造が簡単で安価に製作できると共に交差筋違に対してきわめて簡単に取付けできる枠組足場の横架材用取付具、これを取り付けた横架材、及び横架材取付装置を提供することを目的とする。
【０００４】
【課題を解決するための手段】
請求項１に係る発明の枠組足場の横架材用取付具は、枠組足場の交差筋違２に横架材６，７，８を取り付けるための合成樹脂製の取付具であって、交差筋違２の斜材２ａに外嵌可能な断面略Ｃ字状に形成されると共にそのＣ字状の開口部１１が前記斜材２ａの直径より若干小さくなるように形成された取付具本体１２からなり、この取付具本体１２がその開口部１１を下向きにした状態で横架材６，７，８の棒状本体２０の側面と平行な平面に沿って回動可能に棒状本体２０の端部に枢着されるようになっており、取付具本体１２の外周面には、少なくとも軸方向両端部及びその中間部に環状の補強リブ１５が突設され、且つ取付具本体１２外周面の軸方向両端部及びその中間部に突設された補強リブ１５には、取付具本体１２の開口部１１と反対側の位置に断面略円弧状の係合凹部９が凹設されてなることを特徴とする。
【０００５】
請求項２は、請求項１に記載の枠組足場の横架材用取付具において、取付具本体１２の開口部１１の一側端部には、交差筋違２の斜材２ａへの取付具本体１２の嵌め込みを案内するための嵌込案内板部１３が前記開口部１１に対し外広がり傾斜状に突設されていることを特徴とする。
【０００８】
請求項３に係る発明の横架材は、枠組足場の交差筋違２に横架される横架材６，７，８であって、棒状本体２０と、この棒状本体２０の両端部に取り付けられる横架材用取付具とからなり、棒状本体２０の少なくとも一端部に請求項１〜２に記載の横架材用取付具９が取り付けられていることを特徴とする。
【０００９】
請求項４に係る発明の横架材取付装置は、棒状本体２０とその両端部に取り付けられた横架材用取付具９，９とからなる請求項３に記載の横架材６において、該横架材６は枠組足場の建枠１の縦材４を挟んでその左右に隣合う両交差筋違２，２に渡って横架され、その際、上記棒状本体２０が前記縦材４の内側に配置されてなることを特徴とする。
【００１０】
【発明の実施の形態】
図１は本発明に係る横架材としての手摺り（上桟）６，７及び補助手摺り（中桟）８を備えた枠組足場を示す斜視図、図２はその枠組足場の正面図である。これらの図に示すように、隣合う建枠１，１の対向する縦材４，４間に一対の斜材２ａ，２ａからなるＸ形の交差筋違２が架け渡され、横材５，５間に足場板３が架け渡されている。手摺り６は、上下に対向する足場板３，３の中間位置にあって、建枠１の縦材４を挟んでその左右に隣合う両交差筋違２，２の斜材２ａ，２ａに前記縦材４及び交差筋違２の内側から水平に架け渡され、手摺り７は、手摺り６と同じ高さ位置で、最端にある建枠１の縦材４と交差筋違２の斜材２ａとに水平に架け渡されている。また、補助手摺り８は、手摺り６，７とその下方の足場板３との中間位置にあって、１つの交差筋違２の斜材２ａ，２ａに内側から水平に架け渡されている。
【００１１】
手摺り６，８にはその棒状本体２０の夫々の両端部に合成樹脂製の取付具９が取り付けられ、手摺り７には棒状本体２０の一端部に合成樹脂製取付具９が取り付けられ、その他端部には金属製の取付金具１０が取り付けられている。図３の（Ａ）は両端部に夫々合成樹脂の取付具９を備えた手摺り６，８を示す斜視図、（Ｂ）は合成樹脂の取付具９を示す斜視図である。図４の（Ａ）は手摺り６，８の底面図、（Ｂ）はこの手摺り６，８の正面図である。また図５は図１のＸ部分の拡大正面図であり、図６は同Ｘ部分の拡大縦断面図である。更に図７の（Ａ）は手摺り７の平面図、図８は同手摺り７の正面図である。
【００１２】
上記取付具９について詳細に説明すると、この取付具９は、ナイロンその他の弾性変形可能な合成樹脂により一体形成されたもので、図６から分かるように、交差筋違２の斜材２ａに外嵌可能な断面略下向きＣ字状に形成されると共にそのＣ字状の開口部１１の幅Ｗが交差筋違２の斜材２ａの直径より若干小さくなるように形成された取付具本体１２からなる。この断面略Ｃ字状取付具本体１２の内径は、斜材２ａの外径と同一又はそれより僅かに小さい。そして、この取付具本体１２の開口部１１の一側端部には、交差筋違２の斜材２ａへの取付具本体１２の嵌め込みを案内するための嵌込案内板部１３が開口部１１に対し外広がり傾斜状に突設されており、また開口部１１の他側端部１４は、前記嵌込案内板部１３に対応する外広がりテーパ状に形成されている。
【００１３】
上記取付具本体１２の外周面には、軸方向両端部の２箇所とその中間部の１箇所との３箇所に環状の補強リブ１５が突設され、また開口部１１の他側端部１４に沿って軸方向に延びる補強リブ１６が突設され、そしてこの軸方向に延びる補強リブ１６の設けられた側の端部外周側にピン取付台座１７が一体に突設され、このピン取付台座１７にはピン挿通孔１８が貫通形成されている。また、取付具本体１２外周面の軸方向両端部及びその中間部に突設された環状補強リブ１５には、取付具本体１２の開口部１１と反対側の位置に断面略円弧状の係合凹部１９が凹設されている。
【００１４】
各手摺り６，８の棒状本体２０は、比較的厚肉の丸鋼管を所定長さに切断し、その両端部をプレス加工により圧潰して扁平状に形成したもので、各扁平状端部２０ａにはピン挿通孔２２が設けられている。
【００１５】
上記取付具９は、断面略Ｃ字状の取付具本体１２がその開口部１１を下向きにした状態で手摺り６，８の棒状本体２０側面と平行な平面に沿って回動できるように棒状本体２０の扁平状端部２０ａに枢着されるもので、棒状本体２０と、この棒状本体２０の両端部に枢着された取付具９，９とによって各手摺り６，８が構成される。
【００１６】
上記手摺り６，８を形成するにあたって、取付具９を棒状本体２０の扁平状端部２０ａに枢着するには、図６から分かるように、枢支ピンとしての頭２３ａ付きリベット２３を、取付具９のピン取付台座１７に設けられたピン挿通孔１８から棒状本体２０の扁平状端部２０ａに設けられたピン挿通孔２２に亘って挿通すると共に、扁平状端部２０ａの両側面に平ワッシャー２４，２４を添え付けた状態で、このリベット２３の外端部側をカシメ加工し、それによって各取付具９を棒状本体２０の側面と平行な平面（水平面に対し垂直な面）に沿って回動可能に取り付けている。尚、リベット２３のカシメ部分を図６に２３ｂで示す。
【００１７】
上記のように各取付具９を手摺り６，８の棒状本体２０端部に枢着する際に、この取付具９は、無闇にクルクル回らないように各扁平状端部２０ａに対しある程度圧接した状態に取り付けるのが好ましく、そうすることによって取付具９を棒状本体２０の扁平状端部２０ａに対し任意の回動位置に保持でき、後記のように交差筋違２の斜材２ａに対する取付具９の取付作業が容易となる。
【００１８】
次に、上記のような構成よりなる手摺り６，８を交差筋違２の斜材２ａ，２ａに架け渡す方法について説明する。尚、各取付具９は、棒状本体２０の扁平状端部２０ａ軽く圧接された状態に枢着されて、任意の回動位置に保持できるようになっており、非使用時は図３の（Ａ）に示すように棒状本体２０と略々平行に位置させておくものとする。
【００１９】
先ず、手摺り６（上桟）を、建枠１の縦材４を挟んでその左右に隣合う両交差筋違２，２の斜材２ａ，２ａに対して縦材４及び交差筋違２の内側から架け渡すときは、作業者が枠組足場の内側から棒状本体２０の一端側にある取付具９をその取付具本体１２の開口部１１を下向きにして、一方の斜材２ａに対しその上方から押し付けると、その押し付け力に伴う取付具本体１２の弾性変形により開口部１１が拡開して、取付具本体１２が斜材２ａに嵌まり込み、嵌まり込んだ後は取付具本体１２の弾性復元力によって開口部１１が元の開口位置に戻り、これにより取付具本体１２が斜材２ａに嵌まり込んだ状態に掛止される。
【００２０】
取付具本体１２を斜材２ａに嵌め込む際には、取付具本体１２の開口部１１の一側端部に嵌込案内板部１３が開口部１１に対し外広がり傾斜状に突設されているから、取付具本体１２の開口部１１を下向きにして上方から嵌込案内板部１３を斜材２ａに当て付けた状態でそのまま押し下げると、この嵌込案内板部１３により誘導案内されて取付具本体１２の開口部１１が的確に斜材２ａに嵌合して、取付具本体１２を斜材２ａに対し迅速容易に嵌め込むことができる。
【００２１】
こうして手摺り６の一端側の取付具９を一方の斜材２ａに掛止させた後、手摺り６の他端側の取付具９を、上記同様にして他方の斜材２ａに対しその上方から押し付けるようにすれば、取付具本体１２の開口部１１がその弾性変形により拡開して、その取付具９は当該他方の斜材２ａに嵌まり込んで掛止される。これによって、この手摺り６は、建枠１の縦材４を挟んでその左右に隣合う両交差筋違２，２の斜材２ａ，２ａに架け渡されることになる。
【００２２】
上記のように建枠１の縦材４を挟んでその左右に隣合う両交差筋違２，２に渡って横架され、その棒状本体２０が縦材４の内側に配置されてなる手摺り（横架材）取付装置によれば、棒状本体２０の中間部が縦材４に内側から当接可能な状態となるため、例えば足場板３上で作業中の作業者がこの手摺り６にもたれ掛かるような状態になっても、棒状本体２０の中間部が建枠１の縦材４によって支持され、従って棒状本体２０が変形して手摺り６が両交差筋違２，２の斜材２ａ，２ａから外れるようなおそれがなく、作業上の安全性を十分に確保することができる。
【００２３】
上記のような手摺り６の架け渡し作業においては、各取付具９の取付具本体１２が棒状本体２０の側面と平行な平面に沿って回動可能に枢着されているから、作業者が手摺り６の棒状本体２０を掴んだ状態で、取付具本体１２の開口部１１を下向きにして斜材２ａに対し上方より押し付けるようにすれば、各取付具９は斜材２ａの傾斜姿勢に応じて自動的に回動し、そのまま斜材２ａに的確に嵌まり込むことになる。また、両取付具９，９を斜材２ａ，２ａに掛止させた時、棒状本体２０が水平になっていなければ、両取付具９，９を斜材２ａ，２ａに対して適宜に押し引きスライドさせることによって、棒状本体２０を簡単に水平姿勢に直すことができる。
【００２４】
上記のようにして斜材２ａ，２ａに架け渡した手摺り６を取り外す時は、斜材２ａに嵌まり込んだ各取付具９の取付具本体１２を上方へ引き上げるようにすれば、取付具本体１２の開口部１１が弾性変形により拡開して、各取付具９が斜材２ａから離脱するから、手摺り６を交差筋違２から簡単容易に取り外すことができる。この場合も、各取付具９が手摺り６の棒状本体２０に対し回動可能であるから、斜材２ａからの取付具９の離脱作業が容易となる。
【００２５】
以上、建枠１の縦材４を挟んでその左右に隣合う両交差筋違２，２の斜材２ａ，２ａに架け渡される手摺り６、即ち上桟の場合について説明したが、この上桟と足場板３との中間位置にあって、１つの交差筋違２の斜材２ａ，２ａに水平に架け渡される手摺り８、即ち中桟の架け渡し方法は、上記手摺り６（上桟）の場合とほとんど同じあるため、その説明は省略する。
【００２６】
図７の（Ａ）は、上述した手摺り６と同じ高さ位置で、建枠１の縦材４と交差筋違２の片方の斜材２ａとに水平に架け渡される手摺り７（上桟）を示す平面図であり、（Ｂ）はその正面図である。この手摺り７は、棒状本体２０と、この棒状本体２０の一端部に枢着された取付具９と、その他端部に取り付けられる金属製の取付金具１０とからなるもので、棒状本体２０の一端部に枢着された取付具９は、上述した手摺り６，８に取り付けられる取付具９と同じものである。棒状本体２０の他端部に取り付けられる取付金具１０は、平面視コ字状に形成されたもので、その所要部に固定用の蝶ボルト２５が取り付けてある。
【００２７】
この手摺り７の取付けにあたっては、図１に簡単に図示するように、棒状本体２０の一端部の取付具９を前述の要領で交差筋違２の斜材２ａに掛止させると共に、他端部の取付金具１０を建枠１の縦材４に嵌合させ、蝶ボルト２５をねじ込むことによって縦材４に固定すればよい。
【００２８】
上述した手摺り６，７，８（横架材）取付用の取付具９は、金属に比べて引っ張りや曲げに弱い合成樹脂によって形成されるものであるが、この取付具９を取り付けた手摺り６，７，８を交差筋違２の斜材２ａに架け渡した時、図１から分かるように、各手摺り６，７，８の棒状本体２０が斜材２ａの内側に位置して、各取付具９が棒状本体２０によって斜材２ａに押し付けられる状態に取り付けられるため、枠組足場内での作業時に、この手摺り６，７，８の棒状本体２０に対して外向きの大きな押力が作用しても、取付具９はその押力によって圧縮されるだけであるから、変形して斜材２ａから離脱するおそれがない。
【００２９】
また、この手摺り６，７，８では、棒状本体２０の端部を扁平状に形成しているため、取付具９の枢着が容易であると共に、手摺り６，７，８の使用に際し、各取付具９を交差筋違２の斜材２ａに取り付ける時に棒状本体２０の端部で指を怪我するおそれがなく、使用上の安全も図ることができる。また、取付具本体１２の外周に突設された環状補強リブ１５には、取付具本体１２の開口部１１と反対側の位置に断面略円弧状の係合凹部１９が凹設されていることから、同じ種類の手摺り６又は８を多数重ねて運搬したり保管する際に、隣接する取付具９，９の一方の取付具９の外周面部が他方の取付具９の係合凹部１９に係合して、取付具９，９どうしが安定状態に重合し、荷崩れ等が起こし難くなる。
【００３０】
【発明の効果】
請求項１に係る発明の横架材用取付具は、交差筋違の斜材に外嵌可能な断面略Ｃ字状に形成されると共にそのＣ字状の開口部の幅が前記斜材の直径よりも若干小さくなるように形成された取付具本体からなるきわめて簡単な構造のもので、この取付具本体がその開口部を下向きにした状態で横架材の棒状本体側面と平行な平面に沿って回動可能に棒状本体の端部に枢着されるようになっているから、取付具の製作が容易となって、そのコストを安くすることができる上に、横架材の棒状本体端部に取り付けて使用する時は、取付具本体の開口部を下向きにして交差筋違の斜材に対しその上方から押し付けるようにするだけで、その開口部が弾性変形により拡開して斜材に嵌まり込み、また斜材から取り外す時は、取付具を上方へ引き上げるようにすれば、簡単に外すことができ、従って交差筋違の斜材２に対する取り付け、取り外しが非常に簡単容易となる。
【００３１】
また、横架材への取り付け時には、取付具の取付具本体が横架材の棒状本体側面と平行な平面に沿って回動可能に枢着されるから、取付具本体の開口部を下向きにして交差筋違の斜材に対し上方より押し付けるようにすれば、取付具は斜材の傾斜姿勢に応じて自動的に回動し、取付具本体をそのまま斜材に的確に嵌め込むことができる。
また、本発明によれば、取付具本体の外周面には、少なくとも軸方向両端部及びその中間部に環状の補強リブが突設されているから、取付具本体が補強されて、取付具を斜材に取り付ける際の開口部の拡開による取付具本体の破損を防止し、使用寿命を延ばすことができる。
さらにまた、本発明によれば、取付具本体外周の面軸方向両端部及びその中間部に突設された環状補強リブに、取付具本体の開口部と反対側の位置に断面略円弧状の係合凹部が凹設されているから、取付具を端部に取り付けた同じ種類の手摺りを多数重ねて運搬したり保管する際に、隣接する取付具の一方の取付具の外周面部が他方の取付具の係合凹部に係合して、取付具どうしが安定状態に重合し、荷崩れ等を起こし難くなる。
【００３２】
請求項２に係る発明の横架材用取付具によれば、取付具本体の開口部の一側端部に、交差筋違の斜材への取付具本体の嵌め込みを案内する嵌込案内板部が開口部に対し外広がり傾斜状に突設されているから、取付具本体の開口部を下向きにして上方から嵌込案内板部を斜材に当て付けた状態でそのまま押し下げれば、この嵌込案内板部により誘導案内されて取付具本体の開口部が的確に斜材に嵌合して、取付具本体を斜材に対し迅速容易に嵌め込むことができる。
【００３５】
請求項３に係る発明の横架材は、棒状本体と、この棒状本体の両端部に取り付けられる横架材用取付具とからなるもので、棒状本体の少なくとも一端部に請求項１〜２に記載の横架材用取付具が取り付けられているから、交差筋違の斜材への取り付け及び取り外しが容易となって、横架材、即ち手摺り（上桟）や補助手摺り（中桟）の取り付け及び取り外しが容易となると共に、上述した請求項１〜２の効果を得ることができる。
【００３６】
請求項４に係る発明の横架材取付装置によれば、横架材が枠組足場の建枠の縦材を挟んでその左右に隣合う両交差筋違に渡って横架され、その際に棒状本体が建枠の縦材の内側に配置されているから、例えば足場板上で作業中の作業者がこの横架材に内側からもたれ掛かるような状態になっても、棒状本体の中間部が建枠の縦材によって支持され、従って棒状本体が変形して手摺りが両交差筋違の斜材から外れるようなおそれがなく、作業上の安全性を十分に確保することができる。
【図面の簡単な説明】
【図１】  本発明に係る横架材としての手摺り及び補助手摺りを備えた枠組足場を示す斜視図である。
【図２】  同枠組足場の正面図である。
【図３】  （Ａ）は両端部に夫々合成樹脂の取付具を備えた手摺りを示す斜視図、（Ｂ）は合成樹脂の取付具を示す斜視図である。
【図４】  （Ａ）は手摺りの底面図、（Ｂ）はその正面図である。
【図５】  図１のＸ部分の拡大正面図である。
【図６】  図１のＸ部分の拡大縦断面図である。
【図７】  （Ａ）は手摺りの平面図、（Ｂ）は同手摺りの正面図である。
【符号の説明】
１            枠組足場の建枠
２            交差筋違
４            建枠の縦材
６，７        手摺り又は上桟（横架材）
８            補助手摺り又は下桟（横架材）
９            取付具
１１          開口部
１２          取付具本体
１３          嵌込案内板部
１５，１６    補強リブ
１９          係合凹部
２０          棒状本体
【図１】
0003864096.tif 000002
【図２】
0003864096.tif 000003
【図３】
0003864096.tif 000004
【図４】
0003864096.tif 000005
【図５】
0003864096.tif 000006
【図６】
0003864096.tif 000007
【図７】
0003864096.tif 000008